(57)【特許請求の範囲】
【請求項１】
パイプをコ字状に折り曲げて1対の上脚部を形成し、断面正円状の下脚部を前記下脚部より大径かつ断面正円状の前記各上脚部に昇降自在に嵌挿して脚を形成し、前記上脚部の下方内向部にボルト締結部を設け、前記ボルト締結部を前記上脚部に穿ったボルト遊挿孔の対応位置に固着したナットで形成し、前記ボルト締結部から水平かつ外方に９０度ずれた位置に覗き孔を穿ち、前記下脚部にボルトを遊挿するための複数個の高低調節孔を穿ち、前記各高低調節孔から水平かつ外方に９０度ずれた位置に前記覗き孔への対応印を付け、前記ボルトを前記ボルト遊挿孔および前記ボルト遊挿孔の対応位置にある前記高低調節孔に挿通するとともに前記ナットに緊締し、前記ボルトの先端で前記下脚部を前記上脚部に押圧固定し、プラスチック製の段付き円管からなる保護カバーを前記上脚部と前記下脚部との段部に嵌着することを特徴とするテーブル用脚。
【発明の詳細な説明】
【技術分野】
【０００１】
本発明は幼稚園、保育所、小・中学校等の子供用施設で用いられるテーブルにおける伸縮自在な脚に関する。
【背景技術】
【０００２】
従来から前記分野で用いられるテーブルにおいては、丸パイプのように断面正円状の脚が数多く用いられ、しかも上脚部と下脚とを所望の高さ位置でボルト・ナット締めしているものが知られている。
【０００３】
また、従来例では小径の上脚部を大径の下脚部に昇降自在に嵌挿し、各脚部に穿った透孔にボルトを貫通し、これをナットで締着している。
【発明の開示】
【発明が解決しようとする課題】
【０００４】
従来例によると、丸パイプなので、水平方向に３６０度の回転が可能である。そのため第１に、上下脚部の透孔を一致させるのが困難で、迅速かつ容易にボルト・ナット締めすることができない。
【０００５】
第２に、対向する１対の脚に透孔からなる複数段の高低調節孔を同一高さ、同一方向に穿設することはむずかしく、特に対向する脚をコ字状に曲げた後に、精度良く穿つことは極めて困難であり、プレスで行なうことができず、ボール盤で穿設せざるを得ないのが現状であり、熟練者による多くの時間を必要としている。
【０００６】
第３に従来例では高低調節に際し、ボルトを前記各脚部に貫通させた後に脚外からナット締めするため手間がかかる。
【０００７】
本発明は前記第１・２・３の欠点を解消することを課題にする。
【課題を解決するための手段】
【０００８】
本発明はパイプをコ字状に折り曲げて1対の上脚部を形成し、断面正円状の下脚部を前記下脚部より大径かつ断面正円状の前記各上脚部に昇降自在に嵌挿して脚を形成し、前記上脚部の下方内向部にボルト締結部を設け、前記ボルト締結部を前記上脚部に穿ったボルト遊挿孔の対応位置に固着したナットで形成し、前記ボルト締結部から水平かつ外方に９０度ずれた位置に覗き孔を穿ち、前記下脚部にボルトを遊挿するための複数個の高低調節孔を穿ち、前記各高低調節孔から水平かつ外方に９０度ずれた位置に前記覗き孔への対応印を付け、前記ボルトを前記ボルト遊挿孔および前記ボルト遊挿孔の対応位置にある前記高低調節孔に挿通するとともに前記ナットに緊締し、前記ボルトの先端で前記下脚部を前記上脚部に押圧固定し、プラスチック製の段付き円管からなる保護カバーを前記上脚部と前記下脚部との段部に嵌着することを特徴とするものである。
【発明の効果】
【０００９】
本発明によると、上・下脚部の透孔を容易に一致させることができ、迅速かつ容易にボルト締めすることができる。
【００１０】
また対向する１対の脚に複数段の高低調節孔を同一高さ、同一方向に穿設することが容易で、特に対向する脚をコ字状に曲げた後に、精度良く穿つことが簡単になり、熟練者による多くの時間を必要としない。
【００１１】
さらに脚外からナット締めすることなく、ボルトを螺動するだけで足り、極めて作業がしやすい。
【発明を実施するための最良の形態】
【００１２】
断面正円状の鉄パイプ１'をコ字状に折り曲げて１対の上脚部１ｂ、１ｂを形成する。各上脚部１ｂの下方内向部にはボルト締結部２を設ける。このボルト締結部２は上脚部１ｂに穿ったボルト遊挿孔１０に連通するようにボルト遊挿孔１０の対応位置にナット２０を溶接して固定する。
【００１３】
ボルト締結部２の同高位置かつ外方からの視認可能な位置、具体的には最も視認しやすい位置としてボルト締結部２から水平かつ外方に９０度ずれた位置に覗き孔３を穿つ。覗き孔３の近傍位置、具体的には覗き孔３の真上に、覗き孔３の位置が判りやすいように矢印記号３０などの図形、記号、文字等を表示する。
【００１４】
各上脚部１ａより小径の断面正円状の鉄パイプをもって下脚部１ａを形成し、各下脚部１ａに複数個の高低調節孔４、４、４・・・を所定の間隔をおいて穿つ。各高低調節孔４はボルト２１を遊挿する孔でもある。
【００１５】
各高低調節孔４の同高位置かつ外方位置、具体的には最も視認しやすい位置として各高低調節孔４から水平かつ外方に９０度ずれた位置に丸印等の図形、記号、文字等、覗き孔３への対応印５を付ける。つまりすべての高低調節孔４、４、４・・・の同高位置かつ９０度方向位置に所定の間隔をおいて対応印５、５、５・・・を表示する。そして各下脚部１ａを各上脚部１ｂに昇降自在に嵌挿して脚１を形成する。
【００１６】
なお図中、符号６は下脚部１ａに嵌着したプラスチック製の接地キャップ、符号６０はプラスチック製の段付円管からなる保護カバーであり、組立時および使用時の安全保護のためである。本実施の形態ではこのコ字状の脚１をテーブルの折りたたみ脚とするので、脚１の水平部１ｃを天板７の裏面に受具７０、７０により回動自在に取付ける。
【００１７】
折りたたみ手段としてはかつて本願出願人が実用新案登録した周知の手段である実公昭６１−３２５０７号実用新案公報に記載のものと均等の手段を示しており、本発明とは直接的な関係がないので、詳細な説明を省略し、基本構成のみを説明すれば、上脚部１ｂに末広状支杆８０を軸着し、図４で示すようにロック装置８内に末広状支杆８０の頂部８ａを摺動自在に置き、この頂部８ａを摺動するとともに両端の係止手段８２、８３に係止することにより脚１を起倒するものである。
【００１８】
次に本実施の形態による脚の伸縮法を説明すれば、図３の仮想線で示すように保護カバー６０を下脚部１ａの下部に外挿し、下脚部１ａを所望の高さ位置に昇降する。この際、対応印５、５、５・・・を見ながら行ない、所望位置の対応印５を覗き孔３に合致させる。
【００１９】
ここに覗き孔３と対応印５はそれぞれ同高位置のボルト締結部２、高低調節孔４からそれぞれ９０度ずれているので、当然、合致する。
【００２０】
続いてボルト２１、具体的には剣先ボルトをナット２０、ボルト遊挿孔１０、高低調節孔４の順に挿通し、ボルト２１の先端２１ａを下脚部１ａの内面に接触させる。このときボルト２１軸のうち頭部２１ｃ近傍には雄ねじ２１ｂを切ってあるので、ボルト２１を螺動すれば、ナット２０に螺着し、しかも緊締する。
【００２１】
この結果、ボルト２１の先端２１ａが下脚部１ａを上脚部１ｂに強く押し付けることになり、下脚部１ａは上脚部１ｂに圧接固定され、所望の長さの脚１を得ることができる。
【００２２】
続いて保護カバー６０を引き上げて上脚部１ｂと下脚部１ａとの段部に嵌着する。
【００２３】
さらに脚１の長さを変更したい場合には、前記保護カバー６０を引き下げた後、ボルト２１を緩め、下脚部１ａを所望の位置に昇降し、所望の位置でボルト２１を再び緊締すればよい。
【００２４】
特に製造面から云えば、丸パイプのコ字状脚をもって対向する１対の脚を形成する場合、同高位置に確実に高低調節孔を穿つことは既述のとおり極めて困難であるが、前記複数の対応印を付けておけば、プレスで正確に穿設することができ、極めて精度の高い製品を提供することができる。
【図面の簡単な説明】
【００２５】
【図１】本発明の脚の実施態様を示す斜視図である。
【図２】Ａ−Ａ拡大断面図である。
【図３】Ｂ−Ｂ拡大断面図である。
【図４】本発明の脚を折りたたみ式テーブルに使用した状態の下方からの斜視図である。
【符号の説明】
【００２６】
１  脚
１'  パイプ
１ａ  下脚部
１ｂ  上脚部
２  ボルト締結部
３  覗き孔
４  高低調節孔
５  対応印
１０  ボルト遊挿孔
２０  ナット
２１  ボルト
２１ａ  先端
【図１】
0004809651.tif 000002
【図２】
0004809651.tif 000003
【図３】
0004809651.tif 000004
【図４】
0004809651.tif 000005